(57)【要約】【課題】表示装置を提供する。【解決手段】表示装置は、表示パネル、光を発生する光源及び前記光源が実装された回路基板を備える光源アセンブリ、前記光源から発生した光が入射する入光面及び前記入光面に入射した光を前記表示パネル側に出射する出光面を含む導光板、側壁及び前記側壁から内側に突出した突出部を含むモールドフレーム、底部と側壁部を含み、前記モールドフレームと前記導光板及び前記光源アセンブリを収納するボトムシャーシを含み、前記突出部の上部面には前記表示パネルが安着され、前記突出部の下部面と前記底部との間には前記回路基板の少なくとも一部が位置し、前記光源の上部面は、前記突出部とオーバーラップしない場合もある。【選択図】図１
2015148791.tif 000002
【特許請求の範囲】
【請求項１】
表示パネルと、
光を発生する光源及び前記光源が実装された回路基板を備える光源アセンブリと、
前記光源から発生した光が入射する入光面及び前記入光面に入射した光を前記表示パネル側に出射する出光面を含む導光板と、
側壁及び前記側壁から内側に突出した突出部を含むモールドフレームと、
底部と側壁部を含み、前記モールドフレームと前記導光板及び前記光源アセンブリを収納するボトムシャーシと、を含み、
前記突出部の上部面には前記表示パネルが安着し、
前記突出部の下部面と前記底部との間には前記回路基板の少なくとも一部が位置し、
前記光源の上部面は、前記突出部とオーバーラップしない表示装置。
【請求項２】
前記光源を二等分する第１中心線は、
前記回路基板を二等分する第２中心線に比べて前記導光板に隣接して位置する請求項１に記載の表示装置。
【請求項３】
前記入光面と隣接する前記光源の一側面から前記回路基板の一側端部までの距離は、前記光源の一側面と対応する前記光源の他側面から前記回路基板の他側端部までの距離以下である請求項１に記載の表示装置。
【請求項４】
前記突出部の下部には回路基板の固定溝が備えられ、
前記回路基板の少なくとも一部は前記回路基板の固定溝内に位置する請求項１に記載の表示装置。
【請求項５】
前記回路基板の一側は前記突出部とオーバーラップし、
前記回路基板の他側は前記導光板とオーバーラップし、
前記回路基板と前記突出部がオーバーラップする幅は、
前記回路基板と前記導光板がオーバーラップする幅以上である請求項１に記載の表示装置。
【請求項６】
前記底部は、
前記回路基板の下部に位置する第１底部と、
前記導光板の下部に位置する第２底部と、
一側が前記第１底部と連結され、他側が前記第２底部と連結された段差部と、を含み、
前記第１底部の上面は前記第２底部の上面より下側に位置する請求項１に記載の表示装置。
【請求項７】
前記底部と前記導光板との間に位置し、前記段差部の他側と前記第２底部の上部の一部を覆う光吸収部材と、をさらに含む請求項６に記載の表示装置。
【請求項８】
前記光源の上部面及び前記入光面と連続する前記導光板の上部面の一部を覆う遮光部材をさらに含み、
前記段差部は前記遮光部材とオーバーラップする請求項６に記載の表示装置。
【請求項９】
表示パネルと、
光を発生する光源及び前記光源が実装された回路基板を備える光源アセンブリと、
前記光源から発生した光が入射する入光面及び前記入光面に入射した光を前記表示パネル側に出射する出光面を含む導光板と、
前記表示パネルが安着され、前記回路基板を固定するモールドフレームと、
底部と側壁部を含み、前記モールドフレームと前記導光板及び前記光源アセンブリを収納するボトムシャーシと、
前記光源の上部面及び前記入光面と連続する前記導光板の上部面の一部を覆う遮光部材と、を含み、
前記底部は、前記導光板の下部に位置して前記遮光部材とオーバーラップする段差部を含み、
前記光源の上部面は、前記モールドフレームとオーバーラップしない表示装置。
【請求項１０】
前記回路基板の一側は前記モールドフレームとオーバーラップし、
前記回路基板の他側は前記導光板とオーバーラップし、
前記回路基板の一側と前記モールドフレームがオーバーラップする幅は、
前記回路基板の他側と前記導光板がオーバーラップする幅以上である請求項９に記載の表示装置。
【発明の詳細な説明】
【技術分野】
【０００１】
本発明は表示装置に関する。
【背景技術】
【０００２】
通常、映像を表示する表示装置は表示パネル及び前記表示パネルに光を提供するバックライトアセンブリを含むが、前記バックライトアセンブリは光源の位置によってエッジ型（ｅｄｇｅ−ｉｌｌｕｍｉｎａｔｉｏｎ  ｔｙｐｅ）と直下型（ｄｉｒｅｃｔ−ｉｌｌｕｍｉｎａｔｉｏｎ  ｔｙｐｅ）に分けられる。一方、前記エッジ型バックライトアセンブリの場合、光源から出射された光を導き、前記表示パネルに提供するための導光板が必要とされる。
【０００３】
前述したエッジ型バックライトアセンブリに含まれる導光板は光を出射する出射面、前記出射面に対向する反射面及び前記反射面に垂直であり、前記反射面と前記出射面を連結する側面を含む。また、前記光源は前記導光板の側面のうち少なくとも一つに隣接するように配置されて前記導光板に光を提供する。
【発明の概要】
【発明が解決しようとする課題】
【０００４】
表示装置の軽薄短小化の傾向につれ、光源を表示パネルの背面に固定することによって厚さを減少させる表示装置が提案された。しかし、このような表示装置は、外部要因または自体荷重などによって表示パネルが曲がったり変形される場合には、光源の位置が変更される問題点があり、このため、表示装置の信頼度が低下する短所があった。
【０００５】
本発明が解決しようとする課題は、信頼度が向上しつつもサイズまたは厚さを減少させる表示装置を提供することにある。
【０００６】
本発明の課題は、以上で言及した技術的課題に制限されず、言及されていないまた他の技術的課題は次の記載から当業者に明確に理解できるであろう。
【課題を解決するための手段】
【０００７】
前記課題を解決するための本発明の一実施形態による表示装置は、表示パネル、光を発生する光源及び前記光源が実装された回路基板を備える光源アセンブリ、前記光源から発生した光が入射する入光面及び前記入光面に入射した光を前記表示パネル側に出射する出光面を含む導光板、側壁及び前記側壁から内側に突出した突出部を含むモールドフレーム、底部と側壁部を含み、前記モールドフレームと前記導光板及び前記光源アセンブリを収納するボトムシャーシを含み、前記突出部の上部面には前記表示パネルが安着され、前記突出部の下部面と前記底部の間には前記回路基板の少なくとも一部が位置し、前記光源の上部面は、前記突出部とオーバーラップしない場合もある。
【０００８】
前記課題を解決するための本発明の他の実施形態による表示装置は、表示パネル、光を発生する光源及び前記光源が実装された回路基板を備える光源アセンブリ、前記光源から発生した光が入射する入光面及び前記入光面に入射した光を前記表示パネル側に出射する出光面を含む導光板、前記表示パネルが安着され、前記回路基板を固定するモールドフレーム、底部と側壁部を含み、前記モールドフレームと前記導光板及び前記光源アセンブリを収納するボトムシャーシ、前記光源の上部面及び前記入光面と連続する前記導光板の上部面一部を覆う遮光部材を含み、前記底部は、前記導光板の下部に位置して前記遮光部材とオーバーラップする段差部を含み得る。
【０００９】
その他実施形態の具体的な内容は詳細な説明及び図面に含まれている。
【発明の効果】
【００１０】
本発明の実施形態によれば、少なくとも次のような効果がある。
本発明によれば、信頼度が向上した表示装置を提供することができる。
また、本発明によれば、ベゼル幅及び全体厚さが減少された表示装置を提供することができる。
本発明による効果は、上記例示した内容によって制限されず、さらに多様な効果が本明細書内に含まれている。
【図面の簡単な説明】
【００１１】
【図１】本発明の一実施形態による表示装置の概略的な分解斜視図である。
【図２】図１に示す表示装置をＩ−Ｉ’線に沿って切断した断面図である。
【図３】本発明の一実施形態による表示装置の光源アセンブリの断面図である。
【図４】本発明の一実施形態による表示装置の光源アセンブリの断面図である。
【図５】本発明の一実施形態による表示装置のモールドフレームの断面図である。
【図６】本発明の一実施形態による表示装置のモールドフレームの斜視図である。
【図７】本発明の一実施形態による表示装置において光源アセンブリとモールドフレーム及び導光板の関係を説明するための断面図である。
【図８】本発明の一実施形態による表示装置のボトムシャーシの断面図である。
【図９】図２に示す表示装置の変形実施形態である。
【図１０】図２に示す表示装置の他の変形実施形態である。
【発明を実施するための形態】
【００１２】
本発明の利点及び特徴、これらを達成する方法は添付する図面と共に詳細に後述する実施形態において明確になるであろう。しかし、本発明は、以下で開示する実施形態に限定されるものではなく、互いに異なる多様な形態で実現されるものであり、本実施形態は、単に本発明の開示を完全にし、本発明が属する技術分野で通常の知識を有する者に発明の範疇を完全に知らせるために提供されるものであり、本発明は、請求項の範囲によってのみ定義される。明細書全体にかけて同一参照符号は同一構成要素を指称する。図面に表示する構成要素のサイズおよび相対的なサイズは説明を明瞭するため、誇張したものであり得る。
【００１３】
第１、第２などが多様な素子、構成要素を叙述するために使用されるが、これら素子、構成要素はこれらの用語によって制限されないことはいうまでもない。これらの用語は、単に一つ構成要素を他の構成要素と区別するために使用するものである。したがって、以下で言及される第１構成要素は本発明の技術的思想内で第２構成要素であり得ることは勿論である。本明細書で、単数型は文言上において特に言及しない限り複数型も含む。明細書で使用される「含む」または「有する」などの用語は明細書に記載された特徴、数字、段階、構成要素、付属品またはこれらの組み合わせを意味するものであって、一つまたはそれ以上の他の特徴、数字、段階、構成要素、付属品またはこれらを組み合わせの存在または追加を予め排除しない。
【００１４】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは図面に図示するように一つの素子または構成要素と異なる素子または構成要素との相関関係を容易に記述するために使用され得る。空間的に相対的な用語は、図面に示す方向に加え、使用時または動作時の素子の互いに異なる方向を含む用語として理解しなければならない。例えば、図面に図示する素子をひっくり返す場合、他の素子の「下（ｂｅｌｏｗ）」または「下（ｂｅｎｅａｔｈ）」と記述された素子は他の素子の「上（ａｂｏｖｅ）」に位置する。したがって、例示的な用語である「下」は下と上の方向をすべて含み得る。素子は他の方向にも配向し得、これにより空間的に相対的な用語は配向により解釈される。
【００１５】
以下、図面を参照して本発明の実施形態について説明する。
【００１６】
図１は、本発明の一実施形態による表示装置の概略的な分解斜視図である。図２は、図１に示す表示装置をＩ−Ｉ’線に沿って切断した断面図である。図３及び図４は、本発明の一実施形態による表示装置の光源アセンブリの断面図である。図５は、本発明の一実施形態による表示装置のモールドフレームの断面図である。図６は、本発明の一実施形態による表示装置のモールドフレームの斜視図である。図７は、本発明の一実施形態による表示装置の光源アセンブリとモールドフレーム及び導光板の関係を説明するための断面図である。図８は、本発明の一実施形態による表示装置のボトムシャーシの断面図である。
【００１７】
図１〜図８を参照すると、本発明の一実施形態による表示装置１０は、表示パネル１００及びバックライトアセンブリを含む。
【００１８】
表示パネル１００は画像を表示するパネルであって、液晶表示パネル（Ｌｉｑｕｉｄ  Ｃｒｙｓｔａｌ  Ｄｉｓｐｌａｙ  Ｐａｎｅｌ）、電気泳動表示パネル（Ｅｌｅｃｔｒｏｐｈｏｒｅｔｉｃ  Ｄｉｓｐｌａｙ  Ｐａｎｅｌ）、ＯＬＥＤパネル（Ｏｒｇａｎｉｃ  Ｌｉｇｈｔ  Ｅｍｉｔｔｉｎｇ  Ｄｉｏｄｅ  Ｐａｎｅｌ）、ＬＥＤパネル（Ｌｉｇｈｔ  Ｅｍｉｔｔｉｎｇ  Ｄｉｏｄｅ  Ｐａｎｅｌ）、無機ＥＬパネル（Ｅｌｅｃｔｒｏ  Ｌｕｍｉｎｅｓｃｅｎｔ  Ｄｉｓｐｌａｙ  Ｐａｎｅｌ）、ＦＥＤパネル（Ｆｉｅｌｄ  Ｅｍｉｓｓｉｏｎ  Ｄｉｓｐｌａｙ  Ｐａｎｅｌ）、ＳＥＤパネル（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ  Ｐａｎｅｌ）、ＰＤＰ（Ｐｌａｓｍａ  Ｄｉｓｐｌａｙ  Ｐａｎｅｌ）、ＣＲＴ（Ｃａｔｈｏｄｅ  Ｒａｙ  Ｔｕｂｅ）表示パネルのうち選択された何れか一つである。以下では、表示パネル１００が液晶表示パネルである場合を例に挙げて説明するが、これは一つの例示であり、本発明はこれに制限されない。
【００１９】
表示パネル１００は多数の画素が備えられた第１基板１３０、第１基板１３０と対向する第２基板１１０及び第１基板１３０と第２基板１１０との間に介在する液晶層（図示せず）を含み得る。
【００２０】
図面に示していないが、第１基板１３０上に縦横に配列され、複数の画素領域を定義する複数のゲートラインとデータラインが形成されており、それぞれの画素領域にはスイッチング素子である薄膜トランジスタが形成され、前記画素領域の上には画素電極が形成される。また、前記薄膜トランジスタはゲートラインと接続されるゲート電極、前記ゲート電極の上に非晶相シリコンなどが積層されて形成される半導体層、前記半導体層の上に形成され、データライン及び画素電極に連結されるソース電極及びドレイン電極からなる。
【００２１】
第２基板１１０は、赤（Ｒｅｄ、Ｒ）、緑（Ｇｒｅｅｎ、Ｇ）及び青（Ｂｌｕｅ、Ｂ）の色相を実現する多数のサブ−カラーフィルタで構成されたカラーフィルタ、前記サブ−カラーフィルタの間を区分し、液晶層を透過する光を遮断するブラックマトリックス（ｂｌａｃｋ  ｍａｔｒｉｘ）を含み得る。図１に示していないが、表示パネル１００は第１基板１３０または第２基板１１０に結合された駆動部と軟性回路基板を含み得る。駆動部は表示領域で画像を表示するために要求される駆動信号などの多様な信号を印加できる。軟性回路基板は駆動部に各種信号を出力できる。
【００２２】
このように構成された第１基板１３０及び第２基板１１０は表示領域の外郭に形成されたシーラント（ｓｅａｌａｎｔ）（図示せず）により対向するように合着され、表示パネル１００を構成し、前記第１基板１３０と第２基板１１０の合着は前記第１基板１３０または第２基板１１０に形成された合着キー（bonding key）（図示せず）により行われる。この際、第１基板１３０の面積は第２基板１１０より大きいため、第１基板１３０の一定領域には前記第２基板１１０から延長されるパッド領域が形成され、この領域に前記軟性回路基板の一端部または一端部と隣接する部分が結合され得る。
【００２３】
表示装置１０は表示パネル１００の上部及び下部のそれぞれに配置された第１編光板２１０及び第２編光板２３０をさらに含み得る。前記第１編光板２１０は第１方向の透過軸を含み、光を第１方向に偏光させ得、前記第２編光板２３０は第２方向の透過軸を含み、光を第２方向に偏光させ得る。
【００２４】
バックライトアセンブリは表示パネル１００に光を提供するためのものであって、表示パネル１００の下部に位置する。前記バックライトアセンブリは導光板５００、光源アセンブリ６００、光学シート４００、モールドフレーム３００及びボトムカバー９００を含み得る。
【００２５】
光源アセンブリ６００は表示パネル１００に光を提供する。光源アセンブリ６００は光を出射する光源６３０と光源６３０が実装された回路基板６１０を含み得る。
【００２６】
図１〜図４を参照すると、光源６３０は回路基板６１０上に実装され、回路基板６１０を介して駆動電源を受信して光を発生し得る。図面には示していないが、回路基板６１０は電源供給部（図示せず）と電気的に接続され、前記電源供給部から前記駆動電源を印加され、光源６３０側に伝達する。
【００２７】
光源６３０は一側面６３０ａに光を出射する。すなわち、光源６３０の一側面６３０ａは光が出射される発光面であり得る。光源６３０は発光ダイオード（ｌｉｇｈｔ  ｅｍｉｔｔｉｎｇ  ｄｉｏｄｅ、ＬＥＤ）のような光源素子６３１及び光源素子６３１を支持する支持部６３３を含み得、光源素子６３１が位置する一側面６３０ａが発光面になる。光源素子６３１は支持部６３３内に埋め込まれ得、この場合、支持部６３３の一面から光を提供する。また後述するように光源６３０の一側面６３０ａ、すなわち発光面は導光板５００の入光面５００ａと対向する。すなわち、光源６３０の一側面６３０ａと導光板５００の入光面５００ａは互いに対向する。
【００２８】
回路基板６１０は、軟性印刷回路基板（ｆｌｅｘｉｂｌｅ  ｐｒｉｎｔｅｄ  ｃｉｒｃｕｉｔ  ｂｏａｒｄ、ＦＰＣＢ）、両面軟性印刷回路基板、印刷回路基板（ｐｒｉｎｔｅｄ  ｃｉｒｃｕｉｔ  ｂｏａｒｄ、ＰＣＢ）、メタルコア印刷回路基板（ｍｅｔａｌ  ｃｏｒｅ  ｐｒｉｎｔｅｄ  ｃｉｒｃｕｉｔ  ｂｏａｒｄと、ＭＣＰＣＢ）、メタル印刷回路基板（ｍｅｔａｌ  ｐｒｉｎｔｅｄ  ｃｉｒｃｕｉｔ  ｂｏａｒｄ、ＭＰＣＢ）のうち一つで形成されるが、これに限定されない。
【００２９】
図３を参照して光源６３０と回路基板６１０と間の配置関係を調べると、光源６３０の一側面６３０ａから回路基板６１０の一側端部６１０ａまでの距離Ｄ１は、一側面６３０ａと対応する光源６３０の他側面６３０ｃから回路基板６１０の他側端部６１０ｂまでの距離Ｄ２と同じであるか、さらに小さくてもよい。すなわち、Ｄ１とＤ２は「Ｄ１≦Ｄ２」の関係を有する。
【００３０】
一方、図４を参照して光源６３０と回路基板６１０と間の配置関係を調べると、光源６３０を二等分する第１中心線ＣＤは、回路基板６１０を二等分する第２中心線ＣＰに比べて相対的に光源６３０の他側面６３０ｃから一側面６３０ａに向かう方向に位置する。第１中心線ＣＤは光源６３０の一側面６３０ａまでの距離Ｂと光源の他側面６３０ｃまでの距離Ｂが同じ点からなる直線を意味する。同様に第２中心線ＣＰは回路基板６１０の一側端部６１０ａまでの距離Ａと回路基板６１０の他側端部６１０ｂまでの距離が同じ点からなる直線を意味する。
【００３１】
すなわち、第１中心線ＣＤは第２中心線（ＣＰ）に比べて相対的に光源６３０の一側面６３０ａに隣接して位置する。また光源６３０の一側面６３０ａは後述する導光板５００の入光面５００ａと対向するため、結果的には第１中心線ＣＤが第２中心線ＣＰに比べて相対的に導光板５００に隣接して位置する。
【００３２】
再び図１及び図２を参照すると、導光板５００は光源６３０から発生した光が入射する入光面５００ａと、入射された光の進行方向を変更して表示パネル１００方向に光を出射する出光面５００ｂを有する。すなわち、導光板５００は光源６３０から供給された光を表示パネル１００側に導く。
【００３３】
導光板５００は光を屈折させる透明な物質からなる。例示的な実施形態で前記透明な物質はポリカーボネート（ｐｏｌｙｃａｒｂｏｎａｔｅ）やポリメチルメタクリレート（ｐｏｌｙｍｅｔｈｙｌ  ｍｅｔｈａｃｒｙｌａｔｅ）などの透明な高分子樹脂であり得るが、これに限定されない。また導光板６００は剛性（ｒｉｇｉｄ）物質からなるが、これに限定されず、可撓物質からなることもできる。導光板５００はプレート形状に形成され、例示的な実施形態で直六面体のプレート形状を有する。本明細書においては直六面体のプレート形状を有する導光板５００を中心に説明するが、これに限定されず、導光板５００の形状は必要に応じて適切に変更できる。
【００３４】
導光板５００の入光面５００ａが位置する一側は回路基板６１０とオーバーラップする。すなわち、回路基板６１０上には導光板５００の入光面５００ａが位置する一側の一部分が配置される。
【００３５】
光学シート４００は導光板５００と表示パネル１００との間に位置する。光学シート４００は光源６３０から出射された光を制御したり出射された光の光学的特性を変調する役割を果たす。光学シート４００は導光板５００上に順次に積層された拡散シート４３０、プリズムシート４１３及び保護シート４１１を含み得る。拡散シート４３０は光を拡散する役割を果たす。プリズムシート４１３は拡散シート４３０から拡散された光を上部の表示パネル１００の平面に垂直方向に集光する役割を果たす。プリズムシート４１３を通過した光はほぼ表示パネル１００に垂直に入射される。保護シート４１１はプリズムシート４１３上に位置し、プリズムシート４１３を外部の衝撃から保護する。本実施形態では光学シート４００が拡散シート４３０、前記プリズムシート４１３及び保護シート４１１を一つずつ備えることを例示しているが、これに限定されない。光学シート４３０は、拡散シート４３０、プリズムシート４１３、および保護シート４１１のうち少なくとも何れか一つを複数個重ねて使用することができ、必要に応じて何れか一つのシートを省略できる。
【００３６】
光学シート４００の一部は光源６３０の上部面６３０ｂを覆う。言い換えれば、光学シート４００のうち一部は光源６３０の上部まで延長されて光源６３０とオーバーラップする。図２は保護シート４１１の一部が光源６３０の上部面６３０ｂを覆うことを示しているが、これは一つの例示であり、プリズムシート４１３の一部が延長されて光源６３０の上部面６３０ｂを覆うこともできる。または保護シート４１１及びプリズムシート４１３のすべてが光源６３０の上部面６３０ｂを覆うこともでき、拡散シート４３０の一部が延長されて光源６３０の上部面６３０ｂを覆うこともできる。
【００３７】
図１〜図６を参照すると、モールドフレーム３００は光源アセンブリ６００及び導光板５００の側面部を囲む四角フレーム形状からなる。モールドフレーム３００はポリカーボネート（ｐｏｌｙｃａｒｂｏｎａｔｅ）のようなプラスチック材質または金属（ｍｅｔａｌ）材質で形成されるが、これに限定されない。
【００３８】
モールドフレーム３００は四角フレーム形状の側部３１０及び側部３１０から導光板５００と光源アセンブリ６００が位置する内側に突出した突出部３３０を含み得る。突出部３３０は、上部面３３０ａ、側面３３０ｃ及び下部面３３０ｂを含み得、同様に側部３１０は上部面３１０ａ、下部面３１０ｂ及び下部の内側面３１０ｃを含み得る。
【００３９】
突出部３３０上には表示パネル１００が安着され得、さらに具体的には突出部３３０の上部面３３０ａ上には表示パネル１００が安着され得る。また、突出部３３０の下部面３３０ｂは側部３１０の下部面３１０ｂに比べて相対的に上側、つまり表示パネル１００側に位置する。また突出部３３０の下部には突出部３３０の下部面３３０ｂと側部３１０の下部の内側面３１０ｃによって定義された回路基板の固定溝３５０が形成される。そして回路基板６１０の一部は回路基板の固定溝３５０内に位置することによってモールドフレーム３００によって固定される。また突出部３３０の側面３３０ｃは光源６３０の他側面６３０ｃと相互対向する。
【００４０】
図２及び図７を参照してモールドフレーム３００と光源アセンブリ６００及び導光板５００の間の関係について調べると、光源アセンブリ６００の回路基板６１０の一側端部６１０ａは導光板５００の下部に位置し、回路基板６１０の他側端部６１０ｂはモールドフレーム３００の突出部３３０の下部に位置する。すなわち、回路基板６１０の一側は導光板５００とオーバーラップし、回路基板６１０の他側はモールドフレーム３００または突出部３３０とオーバーラップする。
【００４１】
回路基板６１０と導光板５００がオーバーラップする幅Ｗ１は回路基板６１０とモールドフレーム３００または突出部３３０とオーバーラップする幅Ｗ２と同じであるか、さらに小さい場合もある。すなわち、Ｗ１とＷ２は「Ｗ１≦Ｗ２」の関係を有する。
【００４２】
また光源アセンブリ６００の光源６３０の上部面６３０ｂはモールドフレーム３００または突出部３３０とオーバーラップしない場合もある。すなわち、光源６３０の上部にはモールドフレーム３００または突出部３３０が位置しない場合もある。
【００４３】
一方、回路基板６１０とモールドフレーム３００は、第１接着部材８１１を媒介にして相互固定される。例示的な実施形態で回路基板６１０と突出部３３０の下部面３３０ｂ、すなわち回路基板の固定溝３５０の内側面は第１接着部材８１１を媒介にして相互固定される。第１接着部材８１１は両面接着テープであり得るが、これに限定されず、別途の接着剤からなることもできる。
【００４４】
回路基板６１０と導光板５００は第２接着部材８１２を媒介にして相互固定される。例示的な実施形態で回路基板６１０と導光板５００は第２接着部材８１２を媒介にして相互固定される。第２接着部材８１２は第１接着部材８１１と同様に両面接着テープであり得るが、これに限定されず、別途の接着剤からなることもできる。
【００４５】
再び図１及び図２を参照すると、光源６３０の上部面及び導光板５００の入光面５００ａと連続する導光板５００の出射面５００ｂの一部は遮光部材ＢＬ１により覆われる。遮光部材ＢＬ１は表示パネル１００の表示領域以外の部分に光が漏れることを防止する構成であって、遮光テープからなるが、これに限定されない。前述した遮光部材ＢＬ１の一側は表示パネル１００の背面に付着され得、遮光部材ＢＬ１は第５接着部材８１５を媒介に突出部３３０の上部に固定される。例示的な実施形態で第５接着部材８１５は両面接着テープであり得るが、これに限定されない。
【００４６】
図１〜図８を参照すると、ボトムシャーシ９００はモールドフレーム３００、導光板５００、光源アセンブリ６００及び光学シート４００を収納する部分であって、光源アセンブリ６００及びモールドフレーム３００を囲むように折り曲げられた形状を有する。
【００４７】
ボトムシャーシ９００は、硬性（Ｒｉｇｉｄ）を有する材質、例えばプラスチック材質または金属材質からなる。またボトムシャーシ９００は光を反射させる材質、例えば、アルミニウム（Ａｌ）などの材質で形成される。このため、ボトムシャーシ９００の内側面は反射面を成し、光源６３０から出射された光を導光板５００に向かって反射するが、これに限定されない。すなわちボトムシャーシ９００自体は光を反射させる材質からならない場合もあり、このような場合はその内側面には別途の反射物質（ＲＬ１）がコーティングされて反射面を成す場合もある。
【００４８】
ボトムシャーシ９００は底部９１０及び底部９１０の外周から上側に延長された側壁部９３０を含み得る。
【００４９】
底部９１０は第１底部９１１、第２底部９１５及び一側が第１底部９１１と連続し、他側が第２底部９１５と連続する段差部９１３を含み得る。
【００５０】
第１底部９１１の上面９１１ａは第２底部９１５の上面９１５ａに比べて相対的に下部に位置する。また、段差部９１３の上面９１３ａは第１底部９１１の上面９１１ａと所定角度（θ）を成す。前記所定角度（θ）は鈍角であり得、さらに具体的には９０°以上１８０°未満であり得るが、これに限定されない。
【００５１】
第１底部９１１上には回路基板６１０が安着され得、回路基板６１０は第１底部９１１上に固定される。例示的な実施形態で回路基板６１０は第３接着部材８１３を媒介にして第１底部９１１上に固定される。第３接着部材８１３は両面接着テープであり得るが、これに限定されず、別途の接着剤からなる場合もある。
【００５２】
また第１底部９１１上にはモールドフレーム３００が安着され得、例示的な実施形態でモールドフレーム３００は第４接着部材８１４を媒介にして第１底部９１１上に固定される。第４接着部材８１４は第３接着部材８１３と同様に両面接着テープであり得るが、これに限定されず、別途の接着剤からなる場合もある。また図面には第３接着部材８１３と第４接着部材８１４が別個に構成されているものを示しているが、これは一つの例示であり、第３接着部材８１３と第４接着部材８１４は一体で形成され得る。
【００５３】
第２底部９１５上には導光板５００が位置し得、第２底部９１５は導光板５００を支持する。
【００５４】
底部９１０と導光板５００との間には光吸収部材ＢＬ２が位置し得、さらに具体的には光吸収部材ＢＬ２は段差部９１３または段差部９１３と第２底部９１５の境界を覆う。図２に示すように段差部９１３が遮光部材ＢＬ１とオーバーラップしない場合、段差部９１３または段差部９１３と第２底部９１５の境界で反射された光によって光漏れ現象が発生する可能性があり、具体的には遮光部材によって覆われない部分（Ｐ）に光が漏れる可能性がある。反面、本実施形態による表示装置１０は段差部９１３または段差部９１３と第２底部９１５の境界を覆うように光吸収部材ＢＬ２を形成することによって前述したことのような光漏れ現象が発生する可能性を低下させることができる。
なお、段差部９１３は、底部９１０と導光板５００との間に回路基板６１０が設けられることによる、底部９１０と導光板５００との隙間を小さくするものであり得る。しかし、段差部９１３は必ずしも設けられている必要はなく、底部９１０は直線状であってもよい。ただし、段差部９１３を設けることで、底部９１０が導光板５００側に近づき、ベゼル幅を減少させることができる。
【００５５】
前述した本発明の表示装置は、光源アセンブリ６００の回路基板６１０がボトムシャーシ９００上に固定されるため、表示パネル１００の変形による光源アセンブリ６００の離脱を防止できる利点がある。また光源アセンブリ６００の回路基板６１０がモールドフレーム３００とオーバーラップして追加的に固定されるため、信頼度がさらに向上する利点及びベゼル幅を減少させる利点がある。また光源アセンブリ６００の光源６３０の上部面６３０ｂをモールドフレーム３００が覆わないため製造工程が容易になり、また光吸収部材ＢＬ２を備えることによって光漏れ現象が発生する可能性を低くすることができるという利点がある。
【００５６】
図９は、図２に示す表示装置の変形実施形態を示す図である。
【００５７】
図９を参照すると、本実施形態による表示装置（１０−１）は、ボトムシャーシ９００の段差部９１３と遮光部材ＢＬ１とが相互に重畳する構造からなる点、光吸収部材が備えられていない点において図２に示す表示装置とは差異点がある。この他の構成は図２〜図８を参照して説明した内容と同時であるため、説明の便宜上重複する説明は省略する。
【００５８】
本実施形態による表示装置（１０−１）はボトムシャーシ９００底部９１０の段差部９１３が遮光部材ＢＬ１とオーバーラップする。このため、段差部９１３または段差部９１３と第２底部９１５の境界で光が反射しても反射された光は遮光部材ＢＬ１により覆われる。したがって、別途の光吸収部材ＢＬ２を備えなくても光漏れ現象が発生する可能性を低下させることができる。
【００５９】
図１０は、図２に示す表示装置の他の変形実施形態を示す図である。
【００６０】
図１０を参照すると、本実施形態による表示装置（１０−２）は、ボトムシャーシ９００の段差部９１３と遮光部材ＢＬ１とが相互に重畳する構造からなる点において図２に示す表示装置とは差異点があり、追加的に光吸収部材ＢＬ２をさらに備える点において図９に示す表示装置とは差異点がある。この他の構成は図２〜図９を参照して説明した内容と同じであるため、説明の便宜上重複する説明は省略する。
【００６１】
本実施形態による表示装置（１０−２）はボトムシャーシ９００底部９１０の段差部９１３が遮光部材ＢＬ１とオーバーラップする。このため、段差部９１３または段差部９１３と第２底部９１５の境界で光が反射しても反射された光は遮光部材ＢＬ１により覆われる。また本実施形態による表示装置（１０−２）は段差部９１３または段差部９１３と第２底部９１５の境界を覆う光吸収部材ＢＬ２をさらに含み得、これによって光漏れ現象が発生する可能性をさらに低下させることができる。
【００６２】
以上添付する図面を参照して本発明の実施形態について説明したが、本発明は前記実施形態に限定されるものではなく、互いに異なる多様な形態で製造され、本発明が属する技術分野で通常の知識を有する者は、本発明の技術的思想や必須の特徴を変更せずに他の具体的な形態で実施され得ることを理解することができる。したがって、上記実施形態はすべての面で例示的なものであり、限定的でないものと理解しなければならない。
【符号の説明】
【００６３】
１０    表示装置
１００    表示パネル
１３０、１１０    第１基板、第２基板
２１０、２３０    第１偏光板、第２偏光板
３００    モールドフレーム
４００    光学シート
５００    導光板
６００    光源アセンブリ
６１０    回路基板
６３０    光源
９００  ボトムシャーシ
９１０    底部
９３０    側壁部
ＢＬ１    遮光部材
ＢＬ２    光吸収部材
８１１、８１２、８１３、８１４、８１５    第１接着部材、第２接着部材、第３接着部材、第４接着部材、第５接着部材
【図１】
2015148791.tif 000003
【図２】
2015148791.tif 000004
【図３】
2015148791.tif 000005
【図４】
2015148791.tif 000006
【図５】
2015148791.tif 000007
【図６】
2015148791.tif 000008
【図７】
2015148791.tif 000009
【図８】
2015148791.tif 000010
【図９】
2015148791.tif 000011
【図１０】
2015148791.tif 000012